(57)【要約】【課題】多方向に押し込み可能な操作ボタンの取付構造において、部品点数を少なく、且つ容易に取付可能にし、製造コストを低減させる。【解決手段】画像形成装置１の筐体６の上面には、第１操作ボタン５５及び第２操作ボタン５６が配置されている。各操作ボタン５５，５６は、ユーザにより操作される操作部５５ａ，５６ａと、操作部５５ａ，５６ａと可撓性を有する腕部５５ｄ，５６ｄにより接続されている支持部５５ｂ，５６ｂと、支持部５５ｂ，５６ｂに突設され、孔部を有する取付部５５ｃ，５６ｃと、操作部５５ａ，５６ａの裏側に突設された押下部５５ｆ，５６ｆ等を有している。各操作ボタン５５，５６は、取付部５５ｃ，５６ｃに筐体６の取付ボス１６に突設されている突起部１６ａが軽圧入状態で嵌入されることにより筐体６に固定され、その後、下方からスイッチ基板５２が筐体６に配置され、操作ボタン５５，５６が確実に取り付けられる。【選択図】図５
2008153083.tif 000002
【特許請求の範囲】
【請求項１】
筐体と、
前記筐体の背面側に設けられ、記録紙が装填される給紙トレイと、
前記給紙トレイに保持された記録紙を前記筐体内部に搬送する給紙手段と、
前記給紙手段により搬送されている記録紙の上に画像を形成する画像形成手段と、
前記画像形成手段により画像が形成された記録紙を装置外部に搬送する排紙手段と、
前記排紙手段により搬送され、前記筐体の外部に排出された記録紙を受け止めるための排紙トレイと、
前記筐体上面に取り付けられており、外部から前後左右４方向に押し込み可能な第１操作ボタンと、
その第１操作ボタンの略中央部に配置されており、外部から下方に押し込み可能な第２操作ボタンと、
前記筐体内部に設けられ前記第１操作ボタン又は第２操作ボタンにより押下される５つのタクトスイッチが実装された回路基板を有しており、前記給紙手段、前記画像形成手段、及び前記排紙手段の動作を制御する制御部とを備えた画像形成装置において、
前記筐体には、その筐体裏側に突設され、略円柱形状の突起部を有し、前記第１操作ボタン又は第２操作ボタンが取り付けられる取付ボスが複数個設けられており、
前記第１操作ボタン及び第２操作ボタンは、
前記筐体の上方に露出し、ユーザにより操作される操作部と、
前記操作部とは離れた部位に形成され、前記突起部が嵌装される取付部を有する支持部と、
前記支持部と前記操作部とを接続するように形成され、可撓性を有する腕部と、
前記操作部の裏側に前記各タクトスイッチに対応するように形成された押下部とをそれぞれ一体に有しており、
前記第１操作ボタンが、その取付部に前記突起部が軽圧入状態で嵌装されて前記取付ボス上に配置された後、前記第２操作ボタンが、前記第１操作ボタンが前記取付ボス上に配置された状態で、その取付部に前記突起部が軽圧入状態で嵌装されて前記取付ボス上に配置され、前記取付ボス上に配置された前記第１操作ボタン及び第２操作ボタンの前記押下部側に前記回路基板が配置されることにより、前記第１操作ボタン及び第２操作ボタンが前記筐体に取り付けられており、
それにより、前記第１の操作ボタン及び第２操作ボタンを、別部材を用いることなく、筐体から脱落しないように容易に取付可能であり、製造コストを低減したことを特徴とする画像形成装置。
【請求項２】
電子機器の筐体に、外部から多方向に押し込み可能に取り付けられ、前記筐体内部の回路基板上に実装された複数のスイッチを押下するための操作ボタンの取付構造であって、
前記筐体は、その筐体裏側に突設され、略円柱形状の突起部を有し、前記操作ボタンが取り付けられる取付ボスを有しており、
前記操作ボタンは、
前記筐体から露出しユーザにより操作される操作部と、
前記操作部とは離れた部位に形成され、前記突起部が嵌装される取付部を有する支持部と、
前記支持部と前記操作部とを接続するように形成され、可撓性を有する腕部と、
前記操作部の裏側に前記スイッチに対応するように形成された押下部とを一体に有しており、
前記突起部が前記取付部に軽圧入状態で嵌装されて、前記取付ボス上に脱落しないよう配置され、前記操作ボタンが前記取付ボス上に配置された状態で、その操作ボタンの前記押下部側に前記回路基板が配置されて、前記筐体に取り付けられていることを特徴とする操作ボタンの取付構造。
【請求項３】
前記操作ボタンは、外部から多方向に押し込み可能な第１操作ボタンと、その第１操作ボタンの略中央部に配置され、外部から下方に押し込み可能な第２操作ボタンとを有し、
前記第１操作ボタン及び第２操作ボタンは、それぞれ、前記操作部、支持部、腕部、押下部を有し、
前記第１操作ボタンが、その取付部に前記突起部が軽圧入状態で嵌装されて前記取付ボス上に配置された後、前記第２操作ボタンが、前記第１操作ボタンが前記取付ボス上に配置された状態で、その取付部に前記突起部が軽圧入状態で嵌装されて前記取付ボス上に配置され、前記取付ボス上に配置された前記第１操作ボタン及び第２操作ボタンの前記押下部側に前記回路基板が配置されることにより、前記第１操作ボタン及び第２操作ボタンが前記筐体に取り付けられていることを特徴とする請求項２に記載の操作ボタンの取付構造。
【発明の詳細な説明】
【技術分野】
【０００１】
本発明は、多方向に押し込み可能に筐体に取り付けられた操作ボタンの取付構造及びそれを有する画像形成装置に関する。
【背景技術】
【０００２】
従来より、例えば記録紙に画像を形成する画像形成装置等では、ユーザにより押し込み操作可能な操作ボタンを筐体に取り付け、ユーザにより種々の操作を行うことができるように構成されているものがある。筐体内部の操作ボタンが押し込まれる部位には、例えばタクトスイッチ等が実装されたスイッチ基板が配置されており、このタクトスイッチ等が、ユーザにより押し込まれた操作ボタンにより押下されることにより、スイッチ基板に接続された制御部が、当該タクトスイッチに対応する制御を行うように構成されている。
【０００３】
ところで、このような操作ボタンとしては、例えば複数個のタクトスイッチに対応するように少し大きめに一体に形成され、多方向に押し込み可能に配置されたものが用いられることがある。このような操作ボタンは、例えば、筐体にねじ等を用いたりして取り付けられる。そして、その筐体にねじ止めされた部位とユーザにより押し込まれる部位との間が可撓性のある腕部により接続され、ユーザにより操作されたときにいずれかのタクトスイッチに向け傾き、そのタクトスイッチを押下可能になるように構成されている。しかしながら、このような操作ボタンの取付構造では、操作ボタンの取り付け工程においてねじ締め等の作業を行う必要があって手間がかかり、また、操作ボタンを取り付けるために必要な部品点数が多くなるため、製造コストが大きいという問題があった。
【０００４】
ここで、例えば、特許文献１には、軸部が筐体の軸受部に支持されて筐体に回動可能に取り付けられたボタンスイッチ部材を有するプリンタの構造が示されている。このボタンスイッチ部材は、外部から押し込まれると軸部を中心に回動し、スイッチを押下するように構成されている。また、特許文献２には、筐体外部に露出する操作ボタンを、筐体に取り付けられるプレート部に位置変更可能に取り付けた構造を有する電子機器が示されている。この構造により、電子機器のフロントパネルのデザインに応じて操作ボタンをプレート部へ位置決めして取り付け、互いに異なるデザインの電子機器間で操作ボタンユニットを共用できるようにしている。そして、特許文献３には、操作ボタンを前面パネルに仮止めしてそれらを同時塗装した後、操作ボタンの嵌合孔にスイッチが搭載された基台の突起を嵌合させて組み立て可能にした押しボタン装置の構造が示されている。しかしながら、特許文献１や特許文献２に示されている構造は、単一の操作ボタンには適用可能であるが、上記のような多方向に押し込み可能な操作ボタンには適用できない。また、特許文献２に示されている構造は、部品点数が多くなってしまうという問題を有している。そして、特許文献３に示されている構造は、操作ボタンを基台に装着したものであり、筐体への操作ボタンの取付構造ではない。
【特許文献１】特開２００６‐１５０８７１号公報
【特許文献２】特開２００６‐６６３２５号公報
【特許文献３】特開２００２‐３５８８５４号公報
【発明の開示】
【発明が解決しようとする課題】
【０００５】
本発明は、上記問題点を鑑みてなされたものであり、容易に取り付け可能で部品点数が少なく、製造コストが低い操作ボタンの取付構造と、それを用いた画像形成装置を提供することを目的とする。
【課題を解決するための手段】
【０００６】
上記目的を達成するため、請求項１の発明は、筐体と、前記筐体の背面側に設けられ、記録紙が装填される給紙トレイと、前記給紙トレイに保持された記録紙を前記筐体内部に搬送する給紙手段と、前記給紙手段により搬送されている記録紙の上に画像を形成する画像形成手段と、前記画像形成手段により画像が形成された記録紙を装置外部に搬送する排紙手段と、前記排紙手段により搬送され、前記筐体の外部に排出された記録紙を受け止めるための排紙トレイと、前記筐体上面に取り付けられており、外部から前後左右４方向に押し込み可能な第１操作ボタンと、その第１操作ボタンの略中央部に配置されており、外部から下方に押し込み可能な第２操作ボタンと、前記筐体内部に設けられ前記第１操作ボタン又は第２操作ボタンにより押下される５つのタクトスイッチが実装された回路基板を有しており、前記給紙手段、前記画像形成手段、及び前記排紙手段の動作を制御する制御部とを備えた画像形成装置において、前記筐体には、その筐体裏側に突設され、略円柱形状の突起部を有し、前記第１操作ボタン又は第２操作ボタンが取り付けられる取付ボスが複数個設けられており、前記第１操作ボタン及び第２操作ボタンは、前記筐体の上方に露出し、ユーザにより操作される操作部と、前記操作部とは離れた部位に形成され、前記突起部が嵌装される取付部を有する支持部と、前記支持部と前記操作部とを接続するように形成され、可撓性を有する腕部と、前記操作部の裏側に前記各タクトスイッチに対応するように形成された押下部とをそれぞれ一体に有しており、前記第１操作ボタンが、その取付部に前記突起部が軽圧入状態で嵌装されて前記取付ボス上に配置された後、前記第２操作ボタンが、前記第１操作ボタンが前記取付ボス上に配置された状態で、その取付部に前記突起部が軽圧入状態で嵌装されて前記取付ボス上に配置され、前記取付ボス上に配置された前記第１操作ボタン及び第２操作ボタンの前記押下部側に前記回路基板が配置されることにより、前記第１操作ボタン及び第２操作ボタンが前記筐体に取り付けられており、それにより、前記第１の操作ボタン及び第２操作ボタンを、別部材を用いることなく、筐体から脱落しないように容易に取付可能であり、製造コストを低減したものである。
【０００７】
請求項２の発明は、電子機器の筐体に、外部から多方向に押し込み可能に取り付けられ、前記筐体内部の回路基板上に実装された複数のスイッチを押下するための操作ボタンの取付構造であって、前記筐体は、その筐体裏側に突設され、略円柱形状の突起部を有し、前記操作ボタンが取り付けられる取付ボスを有しており、前記操作ボタンは、前記筐体から露出しユーザにより操作される操作部と、前記操作部とは離れた部位に形成され、前記突起部が嵌装される取付部を有する支持部と、前記支持部と前記操作部とを接続するように形成され、可撓性を有する腕部と、前記操作部の裏側に前記スイッチに対応するように形成された押下部とを一体に有しており、前記突起部が前記取付部に軽圧入状態で嵌装されて、前記取付ボス上に脱落しないよう配置され、前記操作ボタンが前記取付ボス上に配置された状態で、その操作ボタンの前記押下部側に前記回路基板が配置されて、前記筐体に取り付けられているものである。
【０００８】
請求項３の発明は、請求項１の発明において、前記操作ボタンは、外部から多方向に押し込み可能な第１操作ボタンと、その第１操作ボタンの略中央部に配置され、外部から下方に押し込み可能な第２操作ボタンとを有し、前記第１操作ボタン及び第２操作ボタンは、それぞれ、前記操作部、支持部、腕部、押下部を有し、前記第１操作ボタンが、その取付部に前記突起部が軽圧入状態で嵌装されて前記取付ボス上に配置された後、前記第２操作ボタンが、前記第１操作ボタンが前記取付ボス上に配置された状態で、その取付部に前記突起部が軽圧入状態で嵌装されて前記取付ボス上に配置され、前記取付ボス上に配置された前記第１操作ボタン及び第２操作ボタンの前記押下部側に前記回路基板が配置されることにより、前記第１操作ボタン及び第２操作ボタンが前記筐体に取り付けられているものである。
【発明の効果】
【０００９】
本発明によれば、操作ボタンが、取付部に突起部が軽圧入状態で嵌装されて筐体に取り付けられた後、その押下部側に、タクトスイッチ等のスイッチが実装された回路基板が配置されるので、より確実に筐体に取り付けられる。そのため、操作ボタンを取り付けるためにねじを締めたりする必要がなく、容易に少ない手順で操作ボタンを取り付けることが可能になる。また、操作ボタンを取り付けるためにねじ等の別部材を用いないので、部品点数が少なくなり、装置の製造コストを低くすることが可能になる。このとき、操作ボタンは取付部に突起部が軽圧入状態で嵌装されて筐体に取り付けられているので、回路基板を配置しない状態でも操作ボタンが脱落しない。従って、装置をより容易に組み立てることができる。
【発明を実施するための最良の形態】
【００１０】
以下、本発明の一実施形態について図面を参照しつつ説明する。図１及び図２は、本実施形態に係る画像形成装置の一例であるフォトプリンタ（以下、画像形成装置１と称する）の概略構成を示している。
【００１１】
画像形成装置１は、記録紙Ｐが装填され、保持される給紙トレイ２と、給紙トレイ２に保持された記録紙Ｐを搬送する搬送機構３と、搬送機構３によって搬送された記録紙Ｐに画像を形成する画像形成部（画像形成手段）４と、画像形成部４によって画像が形成された記録紙Ｐが排出され、堆積される排紙トレイ５と、搬送機構３及び画像形成部４を収容する筐体６と、電子回路等で構成され搬送機構３及び画像形成部４の制御を行う制御部５０などで構成されている。
【００１２】
搬送機構３は、給紙トレイ２に保持された記録紙Ｐを画像形成部４による画像形成位置まで搬送する第１搬送機構（給紙手段）３ａと、画像形成部４によって画像が形成された記録紙を排紙トレイ５に搬送する第２搬送機構（排紙手段）３ｂと、第１搬送機構３ａ及び第２搬送機構３ｂを駆動するためのフィードモータ３０などで構成されている。
【００１３】
第１搬送機構３ａは、給紙トレイ２に載置された記録紙Ｐを筐体６の内部に給紙するピックアップローラ３１と、画像形成部４のプリントヘッド４３の上流側に設けられ、ピックアップローラ３１によって送出された記録紙Ｐをプリントヘッド４３の側に送出する給紙ローラ３２と、記録紙Ｐを給紙ローラ３２に押圧する押圧ローラ３３等によって構成されている。また、第２搬送機構３ｂは、画像が形成された記録紙Ｐを排紙トレイ５に搬送する排紙ローラ３８と、記録紙Ｐを排紙ローラ３８に押圧するスターホイール３９等によって構成されている。
【００１４】
画像形成部４は、インクが充填されたインクカートリッジ４０と、インクカートリッジ４０を支持しながら、記録紙Ｐの搬送方向Ａに略直交する主走査方向に往復移動するキャリア４１と、キャリア４１を駆動するキャリア駆動モータ４２等によって構成されている。インクカートリッジ４０の下面には、記録紙Ｐにインクを吐出するプリントヘッド４３が設けられている。キャリア４１は、主走査方向に略平行に配設されたシャフト４４によって往復移動自在に支持され、キャリア駆動モータ４２に駆動されて移動する。キャリア駆動モータ４２の出力は、ベルト等を介してキャリア４１に伝達される。制御部５０の制御のもと、フィードモータ３０及びキャリア駆動モータ４２の駆動に同期させてプリントヘッド４３からインクが吐出され、記録紙Ｐに画像が形成される。
【００１５】
図１に示すように、筐体６の上面には、画像形成装置１を持ち運ぶ際に把持されるハンドル７が回動自在に設けられている。筐体６の前面には、例えば着脱可能なメモリが装着されるカード用コネクタ５３ａと、直接又はケーブルを介して、デジタルスチルカメラ等、他の電子機器が接続されるＵＳＢコネクタ５３ｂ等が配置されている。また、筐体６の上面には、プリントする画像や動作状態等を表示する液晶パネル５４や、プリントする画像の選択やプリント枚数を設定するためなどに用いられる第１操作ボタン５５及び第２操作ボタン５６、装置の電源をオンオフしたり、各種設定を行うために各操作ボタン５５，５６等と一緒に用いられる補助ボタン５９等が配置されている。筐体６の内部において、その上部には、ＣＰＵやメモリ等が実装された、カード用コネクタ５３ａ、ＵＳＢコネクタ５３ｂ、液晶パネル５４等が接続された制御基板５１と、制御基板５１に接続され、操作ボタン５５，５６と補助ボタン５９に対応するように複数のタクトスイッチ５２ａが実装されたスイッチ基板（回路基板）５２とがそれぞれ略水平に配置されている。本実施形態において、スイッチ基板５２には５個のタクトスイッチ５２ａが実装されており、第２操作ボタン５６に対応する１個のタクトスイッチ５２ａが中央に配置され、そのタクトスイッチ５２ａの前後左右方向にそれぞれ１つずつ、第１操作ボタン５５に対応する４個のタクトスイッチ５２ａが配置されている。
【００１６】
次に、第１操作ボタン５５と第２操作ボタン５６について、それぞれ図３（ａ）、（ｂ）と図４（ａ）、（ｂ）を参照しつつ説明する。図３（ａ）、（ｂ）は、第１操作ボタン５５を示す。第１操作ボタン５５は、樹脂の一体成型により形成されており、ユーザにより操作される略矩形状の操作部５５ａと、操作部５５ａからは離れた部位に形成された支持部５５ｂと、支持部５５ｂに突設され上下方向に貫通する孔部を有する取付部５５ｃと、支持部５５ｂと操作部５５ａとを接続する２本の腕部５５ｄと、操作部５５ａの下端縁から側方に鍔状に形成されたフランジ部５５ｅと、操作部５５ａの裏側に下方に向け突設された押下部５５ｆと、操作部５５ａの略中央部に形成された貫通孔５５ｇを有している。第１操作ボタン５５は、４つのタクトスイッチ５２ａに対応する４つの押下部５５ｆを有している。２本の腕部５５ｄは、それぞれ、操作部５５ａの側部に沿うように配されており、その一端部が操作部５５ａの両側部に接続され、その他端部が支持部５５ｂに接続されている。図に示すように、各腕部５５ｄは、肉厚が薄く、可撓性を有するように形成されており、支持部５５ｂが固定された状態で操作部５５ａに力が加えられたときに撓むように構成されている。すなわち、第１操作ボタン５５は、支持部５５ｂが固定された状態で、操作部５５ａに下方に向け力が加えられると、その力が加えられた部位に向け操作部５５ａが傾くように構成されている。支持部５５ｂには、２つの取付部５５ｃが形成されており、その２つの取付部５５ｃ間の部位は、上方に向けて窪む凹形状に形成されている。押下部５５ｆは、貫通孔５５ｇの前後左右４方向にそれぞれ１つずつ配置されている。
【００１７】
図４（ａ）、（ｂ）は、第２操作ボタン５６を示す。第２操作ボタン５６は、第１操作ボタン５５と同様に、樹脂の一体成型により形成されており、操作部５６ａ、支持部５６ｂ、支持部５６ｂに設けられた２つの取付部５６ｃ、支持部５６ｂと操作部５６ａとを接続する２つの腕部５６ｄ、及び操作部５６ａから下方に突設された押下部５６ｆを有している。第２操作ボタン５６は、第１操作ボタン５５よりも小型であり、操作部５６ａは、第１操作ボタン５５の貫通孔５５ｇよりわずかに小さい略矩形状に形成されており、押下部５６ｆは１つだけ設けられている。支持部５６ｂは、第１操作ボタン５５の支持部５５ｂに形成された凹形状の部位に嵌まり込むような大きさに形成されている。腕部５６ｄは、それぞれ、支持部５６ｂと操作部５６ａとを接続するよう略真直ぐの帯形状に形成されており、支持部５６ｂが固定された状態で、操作部５６ａに下方に向け力が加えられると、腕部５６ｄが撓み、操作部５６ａが下方に変位するように構成されている。
【００１８】
以下に、各操作ボタン５５，５６の取付構造について、図５（ａ）、（ｂ）、図６、及び図７を参照しつつ説明する。図５（ａ）、（ｂ）及び図６は、画像形成装置１の各操作ボタン５５，５６が配置されている部位を示す。各図において、矢印は、画像形成装置１の前方を示す。本実施形態においては、筐体６の上面に露出するように各操作ボタン５５，５６が筐体６に取り付けられ、各操作ボタン５５，５６の下方からスイッチ基板５２が筐体６に取り付けられ、各操作ボタン５５，５６が配置される。筐体６には、図５（ａ）に示すような、第１操作ボタン５５の操作部５５ａよりもわずかに大きいボタン孔６ａと、筐体６の前方裏面に下方に向け突設され、筐体６の幅方向に一列に並ぶ４つの取付ボス１６と、図６に示すような、ボタン孔６ａの両側部に配置されたねじ止めボス１７とが設けられている。各取付ボス１６の先端部には、略円柱形状の突起部１６ａが形成されている。本実施形態において、突起部１６ａの外径は、各操作ボタン５５，５６の取付部５５ｃ，５６ｃの孔部の内径と略同じかそれよりごくわずかだけ小さくなるように形成されており、その孔部に突起部１６ａが嵌装されたとき、取付部５５ｃが突起部１６ａから抜けにくい軽圧入状態となるように構成されている。
【００１９】
筐体６には、各操作ボタン５５，５６が、図５（ａ）、（ｂ）に示すように、第１操作ボタン５５、第２操作ボタン５６の順に取り付けられる。すなわち、先ず、第１操作ボタン５５を、操作部５５ａがボタン孔６ａから筐体６の上面に露出するように配置した状態で、２つの取付部５５ｃの孔部に、４つの取付ボス１６のうち両側部の取付ボス１６の突起部１６ａがそれぞれ嵌入される。このとき、突起部１６ａは取付部５５ｃに軽圧入状態で嵌装されるので、筐体６には、第１操作ボタン５５が脱落しにくいように固定された状態になる。次に、筐体６に固定された第１操作ボタン５５の下方から、第２操作ボタン５６が筐体６に取り付けられる。このとき、図に示すように、第２操作ボタン５６は、その支持部５６ｂが、第１操作ボタン５５の支持部５６ｂに上記のように設けられた凹部に嵌まるようにして配置される。そして、操作部５６ａが第１操作ボタン５５の貫通孔５５ｇを介して筐体６の上面に露出するように第２操作ボタン５６が位置合わせされた状態で、２つの取付部５６ｃの孔部に、一列に並んだ４つの取付ボス１６のうち中央寄りの２つの取付ボス１６の突起部１６ａが嵌入される。このとき、第１操作ボタン５５と同様に、突起部１６ａが取付部５６ｃに軽圧入状態で嵌装され、筐体６に、第２操作ボタン５６が、脱落しにくいように固定された状態になる。このように、第１操作ボタン５５と第２操作ボタン５６とが互いに干渉しないように取り付けられるので、各操作部５５ａ，５６ａが操作されたときに、それぞれの操作ボタン５５，５６が独立して変位可能になるように構成されている。また、第１操作ボタン５５は、フランジ部５５ｅがボタン孔６ａの端縁部に当接することにより、操作部５５ａが上方に変位してしまうことがなく、また、操作部５５ａとボタン孔６ａとの隙間から筐体６の内部に塵等が入りにくいように構成されている。
【００２０】
上記のように、筐体６の取付ボス１６上に各操作ボタン５５，５６が配置された後、図６に示すように、各操作ボタン５５，５６の押下部５５ｆ，５６ｆが設けられている裏面側に、スイッチ基板５２が配置される。ここで、例えば、スイッチ基板５２には、筐体６のねじ止めボス１７に対応する位置に締結孔５２ｂが形成されており、スイッチ基板５２の下面から、この締結孔５２ｂを貫通し、ねじ６０がねじ止めボス１７に締結され、スイッチ基板５２が筐体６に取り付けられる。スイッチ基板５２が筐体６に取り付けられた状態では、第２操作ボタン５６の押下部５６ｆに、スイッチ基板５２の中央のタクトスイッチ５２ａが対応し、第１操作ボタン５５の貫通孔６ａの前後左右に配置された４つの押下部５５ｆに、中央のタクトスイッチ５２ａの前後左右方向に配置された４つのタクトスイッチ５２ａがそれぞれ対応する。このようにスイッチ基板５２が取り付けられることにより、各操作ボタン５５，５６の操作部５５ａ，５６ａが筐体６の内部に向け押し込まれても、操作部５５ａ，５６ａの下方への変位量が限られる。そのため、取付部５５ｃ，５６ｃから突起部１６ａから脱落することがなくなり、各操作ボタン５５，５６が筐体６に確実に固定される。
【００２１】
図７は、各操作ボタン５５，５６が、スイッチ基板５２と共に筐体６取り付けられた状態を示す。各操作ボタン５５，５６の操作部５５ａ，５６ａが操作されていない自然状態であるとき、押下部５５ｆ，５６ｆの先端部は、それぞれ、タクトスイッチ５２ａの上部に近接している。ここで、例えば、第１操作ボタン５５の操作部５５ａのうち筐体６前方側の部位が、ユーザの操作により筐体６の内部に向け押し込まれると、腕部５５ｄが撓み、操作部５５ａが押し込まれた方向に傾く。それにより、押下部５５ｆのうち、筐体６の前方のタクトスイッチ５２ａに対応する押下部５５ｆがそのタクトスイッチ５２ａを押下し、そのタクトスイッチ５２ａに対応する所定の処理が制御部５０にて実行される。なお、このとき、ユーザが、例えばタクトスイッチ５２ａが押下されることにより生じるクリック感によりそのタクトスイッチ５２ａが押下されたことを確認し、操作部５５ａの操作を解除すると、腕部５５ｄの復元力により、操作部５５ａの姿勢が上記自然状態に戻り、タクトスイッチ５２ａが押下されていない状態に戻る。なお、操作部５５ａの他の部位が押し込まれたときや、第２操作ボタン５６の操作部５６ａが押し込まれたときも、上記と同様に、それぞれ押し込み操作された部位に対応する押下部５５ｆ，５６ｆにより各タクトスイッチ５２ａが押下され、そのタクトスイッチ５２ａに対応する処理が制御部５０にて実行されるように構成されている。
【００２２】
このように、本実施形態においては、各操作ボタン５５，５６が取付部５５ｃ，５６ｃに突起部１６ａが軽圧入状態で嵌装されて筐体６に取り付けられたうえで、その下方からスイッチ基板５２が配置されるので、操作ボタン５５，５６が、より確実に筐体に取り付けられる。操作ボタン５５，５６を取り付けるためにねじを締めたりする必要がなく、容易に少ない手順で操作ボタン５５，５６を取り付けることが可能になる。また、操作ボタン５５，５６を取り付けるためにねじ等の別部材を用いないので、部品点数が少なくなり、画像形成装置１の製造コストを低くすることが可能になる。操作ボタン５５，５６は、取付部５５ｃ，５６ｃに突起部１６ａが軽圧入状態で嵌装されて筐体に取り付けられているので、スイッチ基板５２を配置しない状態でも操作ボタン５５，５６が筐体６から脱落することがなく、画像形成装置１をより容易に組み立てることができる。
【００２３】
なお、本発明は上記実施形態の構成に限定されるものではなく、発明の趣旨を変更しない範囲で適宜に種々の変形が可能である。例えば、操作ボタンは、上記のような２つの操作ボタン５５，５６が組み合わされているものに限られない。すなわち、例えば、多方向に押し込み可能な１つの操作ボタンであっても、上述と同様に軽圧入状態で筐体に取り付けることにより、容易に操作ボタンを取り付け可能になり、製造コストを低減することが可能になる。また、このような操作ボタンの取付構造は、画像形成装置に限られず、同様の多方向に押し込み可能な操作ボタンを有する種々の電子機器等にも適用可能である。
【図面の簡単な説明】
【００２４】
【図１】本発明の一実施形態に係る画像形成装置を示す斜視図。
【図２】上記装置の構成を示す側面図。
【図３】（ａ）は上記装置の第１操作ボタンを上方から見た斜視図、（ｂ）は同ボタンを下方から見た斜視図。
【図４】（ａ）は上記装置の第２操作ボタンを上方から見た斜視図、（ｂ）は同ボタンを下方から見た斜視図。
【図５】（ａ）は上記装置の操作ボタンの取付構造を示す斜視図、（ｂ）は同構造の（ａ）とは異なる方向から見たとき示す斜視図。
【図６】上記構造の組み立て時を示す斜視図。
【図７】上記構造の中央部前後方向の断面を示す側断面図。
【符号の説明】
【００２５】
１  画像形成装置
２  給紙トレイ
３ａ  搬送機構（給紙手段）
３ｂ  搬送機構（排紙手段）
４  画像形成部（画像形成手段）
５  排紙トレイ
６  筐体
１６  取付ボス
１６ａ  突起部
５０  制御部
５２  スイッチ基板（回路基板）
５２ａ  タクトスイッチ
５５  第１操作ボタン
５５ａ  （第１操作ボタンの）操作部
５５ｂ  （第１操作ボタンの）支持部
５５ｃ  （第１操作ボタンの）取付部
５５ｄ  （第１操作ボタンの）腕部
５５ｆ  （第１操作ボタンの）押下部
５６  第２操作ボタン
５６ａ  （第２操作ボタンの）操作部
５６ｂ  （第２操作ボタンの）支持部
５６ｃ  （第２操作ボタンの）取付部
５６ｄ  （第２操作ボタンの）腕部
５６ｆ  （第２操作ボタンの）押下部
Ｐ  記録紙
【図１】
2008153083.tif 000003
【図２】
2008153083.tif 000004
【図３】
2008153083.tif 000005
【図４】
2008153083.tif 000006
【図５】
2008153083.tif 000007
【図６】
2008153083.tif 000008
【図７】
2008153083.tif 000009